(57)【要約】【課題】観察光学系の倍率を十分に向上し、かつ観察光学系に装着した際も実用的なアイポイントを有する小型で性能良好な接眼アタッチメントを提供することを目的とする。【解決手段】観察光学系のアイポイントＥＰ側に着脱自在な接眼アタッチメントにおいて、観察光学系側から順に、観察光学系側に凸面を向けた正レンズＬ１と、当該正レンズＬ１と間隔を隔てて配置されたアイポイントＥＰ側に屈折力のより強い凹面を向けた両凹形状の負レンズＬ２との２枚のレンズから構成されており、所定の条件式を満足することを特徴とする。【選択図】図１
2006227120.tif 000002
【特許請求の範囲】
【請求項１】
観察光学系のアイポイント側に着脱自在な接眼アタッチメントにおいて、
前記観察光学系側から順に、前記観察光学系側に凸面を向けた正レンズと、当該正レンズと間隔を隔てて配置されたアイポイント側に屈折力のより強い凹面を向けた両凹形状の負レンズとの２枚のレンズから構成されており、
以下の条件式を満足することを特徴とする接眼アタッチメント。
−１．４＜ｆ１／ｆ２＜−１．０８
０．１＜ｄ２／ｄ１＜１．５
ただし、
ｆ１：前記正レンズの焦点距離
ｆ２：前記両凹形状の負レンズの焦点距離
ｄ１：前記正レンズの中心厚
ｄ２：前記正レンズと前記両凹形状の負レンズとの軸上空気間隔
【請求項２】
以下の条件式を満足することを特徴とする請求項１に記載の接眼アタッチメント。
−０．６＜ｒ４／ｒ３＜−０．０３
ただし、
ｒ３：前記両凹形状の負レンズの前記観察光学系側レンズ面の曲率半径
ｒ４：前記両凹形状の負レンズのアイポイント側レンズ面の曲率半径
【請求項３】
以下の条件式を満足することを特徴とする請求項１又は請求項２に記載の接眼アタッチメント。
１．８＜ｎ２
ただし、
ｎ２：前記両凹形状の負レンズの材質のｄ線(λ=587.6nm)に対する屈折率
【請求項４】
以下の条件式を満足することを特徴とする請求項１から請求項３のいずれか１項に記載の接眼アタッチメント。
８＜ν１−ν２＜１９
ただし、
ν１：前記正レンズの材質のｄ線(λ=587.6nm)に対するアッベ数
ν２：前記両凹形状の負レンズの材質のｄ線(λ=587.6nm)に対するアッベ数
【発明の詳細な説明】
【技術分野】
【０００１】
本発明は、観察光学系のアイポイント側に装着される接眼アタッチメント、特にカメラのファインダーの接眼部に装着される接眼アタッチメントに関する。
【背景技術】
【０００２】
一般にカメラファインダーは、その倍率が高いほど被写体の視認性が向上し、かつピント合わせの精度が向上する。このため、ファインダーを覗いてピント合わせが行われる一眼レフカメラにおいては、より高い倍率のファインダーが求められる。斯かる背景の下、従来のファインダーの接眼部に装着することで倍率を向上させることが可能な接眼アタッチメントが提案されている（例えば、特許文献１，２を参照。）。
【特許文献１】特開2000-180920号公報
【特許文献２】特開2002-328301号公報
【発明の開示】
【発明が解決しようとする課題】
【０００３】
しかしながら、上記各特許文献に開示されている接眼アタッチメントは、いずれもファインダーの倍率を１．１５倍以下とするもので、倍率を十分に向上させるものではないという問題があった。
【０００４】
そこで本発明は上記問題点に鑑みてなされたものであり、観察光学系の倍率を十分に向上し、かつ観察光学系に装着した際も実用的なアイポイントを有する小型で性能良好な接眼アタッチメントを提供することを目的とする。
【課題を解決するための手段】
【０００５】
上記課題を解決するために本発明は、
観察光学系のアイポイント側に着脱自在な接眼アタッチメントにおいて、
前記観察光学系側から順に、前記観察光学系側に凸面を向けた正レンズと、当該正レンズと間隔を隔てて配置されたアイポイント側に屈折力のより強い凹面を向けた両凹形状の負レンズとの２枚のレンズから構成されており、
以下の条件式（１），（２）を満足することを特徴とする接眼アタッチメントを提供する。
（１）  −１．４＜ｆ１／ｆ２＜−１．０８
（２）  ０．１＜ｄ２／ｄ１＜１．５
ただし、
ｆ１：前記正レンズの焦点距離
ｆ２：前記両凹形状の負レンズの焦点距離
ｄ１：前記正レンズの中心厚
ｄ２：前記正レンズと前記両凹形状の負レンズとの軸上空気間隔
【０００６】
また本発明の好ましい態様によれば、本発明の接眼アタッチメントは、
以下の条件式（３）を満足することが望ましい。
（３）  −０．６＜ｒ４／ｒ３＜−０．０３
ただし、
ｒ３：前記両凹形状の負レンズの前記観察光学系側レンズ面の曲率半径
ｒ４：前記両凹形状の負レンズのアイポイント側レンズ面の曲率半径
【０００７】
また本発明の好ましい態様によれば、本発明の接眼アタッチメントは、
以下の条件式（４）を満足することが望ましい。
（４）  １．８＜ｎ２
ただし、
ｎ２：前記両凹形状の負レンズの材質のｄ線(λ=587.6nm)に対する屈折率
【０００８】
また本発明の好ましい態様によれば、本発明の接眼アタッチメントは、
以下の条件式（５）を満足することが望ましい。
（５）  ８＜ν１−ν２＜１９
ただし、
ν１：前記正レンズの材質のｄ線(λ=587.6nm)に対するアッベ数
ν２：前記両凹形状の負レンズの材質のｄ線(λ=587.6nm)に対するアッベ数
【発明の効果】
【０００９】
本発明によれば、観察光学系の倍率を十分に向上し、かつ観察光学系に装着した際も実用的なアイポイントを有する小型で性能良好な接眼アタッチメントを提供することができる。
【発明を実施するための最良の形態】
【００１０】
本発明の接眼アタッチメントは、観察光学系のアイポイント側に着脱自在な接眼アタッチメントであって、前記観察光学系側から順に、前記観察光学系側に凸面を向けた正レンズと、当該正レンズと間隔を隔てて配置されたアイポイント側に屈折力のより強い凹面を向けた両凹形状の負レンズとの２枚のレンズから構成されており、以下の条件式（１），（２）を満足するように構成されている。
（１）  −１．４＜ｆ１／ｆ２＜−１．０８
（２）  ０．１＜ｄ２／ｄ１＜１．５
ただし、
ｆ１：前記正レンズの焦点距離
ｆ２：前記両凹形状の負レンズの焦点距離
ｄ１：前記正レンズの中心厚
ｄ２：前記正レンズと前記両凹形状の負レンズとの軸上空気間隔
【００１１】
本発明の接眼アタッチメントは、前述のように正レンズと負レンズとからなる、いわゆるガリレオ式望遠鏡である。そして本発明の接眼アタッチメントは、このガリレオ式望遠鏡を構成する正レンズを、観察光学系側に凸面を向けて配置することによって球面収差の発生を抑えることができる。またこれと同時に、ガリレオ式望遠鏡を構成する負レンズを、アイポイント側に屈折力のより強い凹面を向けた両凹形状の負レンズとすることによって、周辺に発生する非点収差をバランス良く補正することができる。
【００１２】
上記条件式（１）は、本発明の接眼アタッチメントを構成する正レンズの焦点距離と両凹形状の負レンズの焦点距離との比率を規定するものである。この条件式（１）の上限値を上回ると、接眼アタッチメントの拡大率を高くすること、即ち接眼アタッチメントを装着する観察光学系の倍率を向上させることが困難になってしまう。一方、条件式（１）の下限値を下回ると、前記両凹形状の負レンズの屈折力が強くなりすぎるため、諸収差を良好に補正することが困難になってしまう。
【００１３】
上記条件式（２）は、前記正レンズの中心厚と、前記正レンズと前記両凹形状の負レンズの空気間隔との比率を規定するものある。この条件式（２）の上限値を上回ると、本発明の接眼アタッチメントの小型化とアイポイントを確保することが困難になってしまう。一方、条件式（２）の下限値を下回ると、前記正レンズ及び前記両凹形状の負レンズの屈折力が強くなりすぎるため、球面収差と像面湾曲収差とをバランス良く補正することが困難になってしまう。また、本発明の接眼アタッチメントにおいて、高い倍率を維持しながら長いアイポイントを確保するためには、条件式（２）の上限値を１．０として満足することが望ましい。
【００１４】
また本発明の接眼アタッチメントは、非点収差を良好に補正するために、以下の条件式（３）を満足することが望ましい。
（３）  −０．６＜ｒ４／ｒ３＜−０．０３
ただし、
ｒ３：前記両凹形状の負レンズの前記観察光学系側レンズ面の曲率半径
ｒ４：前記両凹形状の負レンズのアイポイント側レンズ面の曲率半径
【００１５】
条件式（３）は、前記両凹形状の負レンズの両側のレンズ面の曲率半径を適切に規定するものである。この条件式（３）の上限値又は下限値を越えると、周辺でメリディオナル像面とサジタル像面の較差が広がるため、良好な周辺性能を得ることができなくなってしまう。
【００１６】
また本発明の接眼アタッチメントは、コマ収差と球面収差を良好に補正するために、以下の条件式（４）を満足することが望ましい。
（４）  １．８＜ｎ２
ただし、
ｎ２：前記両凹形状の負レンズの材質のｄ線(λ=587.6nm)に対する屈折率
【００１７】
条件式（４）は、前記両凹形状の負レンズの材質の屈折率を適切に規定するものである。本発明の接眼アタッチメントは、上述のようにガリレオ式望遠鏡であって、かつ条件式（２）によって規定されるように凸レンズ成分と凹レンズ成分とを接近させて配置している。このため、最もアイポイント側に位置する凹レンズ成分の屈折力を大きく設定する必要がある。したがって必然的に、凹レンズ成分のレンズ面の曲率が大きくなり、コマ収差と球面収差を良好に補正することが困難になってしまう。
そこで本発明の接眼アタッチメントは、前記両凹形状の負レンズを屈折率の高いガラスで構成し、レンズ面の曲率を小さくすることが望ましい。したがって、上記条件式（４）の下限値を下回ると、前記両凹形状の負レンズの曲率が大きくなるため、コマ収差及び球面収差を良好に補正することが困難になってしまう。
【００１８】
また本発明の接眼アタッチメントは、色収差を良好に補正するために、以下の条件式（５）を満足することが望ましい。
（５）  ８＜ν１−ν２＜１９
ただし、
ν１：前記正レンズの材質のｄ線(λ=587.6nm)に対するアッベ数
ν２：前記両凹形状の負レンズの材質のｄ線(λ=587.6nm)に対するアッベ数
【００１９】
条件式（５）は、前記正レンズ及び前記両凹形状の負レンズの材質のアッベ数を適切に規定するものである。本発明の接眼アタッチメントは、２群２枚という単純な構成であるため、色収差を良好に補正するためにはガラスの選択が重要となる。このため、条件式（５）の下限値を下回ると、周辺に発生する倍率色収差を良好に補正することが困難になってしまう。一方、条件式（５）の上限値を上回ると、軸上色収差を補正することが困難になってしまう。
【００２０】
以下、本発明の各実施例に係る接眼アタッチメントを添付図面に基づいて説明する。
（第１実施例）
図１は、本発明の第１実施例に係る接眼アタッチメントＡをファインダーＦに装着した様子を示す断面展開図である。
図１に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
【００２１】
また本実施例に係る接眼アタッチメントＡは、図１に示すようにファインダーＦのアイポイントＥＰ側、詳しくはファインダーＦの接眼部（不図示）に装着して使用される。本実施例では、例えば前記接眼部に設けられているネジ溝と螺合可能なネジ部等の取付部（不図示）を備えており、前記接眼部に対して着脱可能な構成になっている。なお、取付部の構成については以下に示す各実施例において共通であるため、その説明を省略する。
【００２２】
ここで、本実施例において用いたファインダーＦについて説明する。図５は、本発明の第１実施例において用いられているファインダーＦの構成を示す断面展開図である。
本実施例において用いられたファインダーＦは、撮影レンズ（不図示）の結像面Ｉ側から順に、コンデンサレンズＣと、ペンタプリズムＰと、接眼レンズＬとからなる、いわゆる一眼レフファインダーである。そして接眼レンズＬは、３枚のレンズからなり、中央のレンズを光軸方向へ移動させることによって視度の調整を行うことができる。
【００２３】
以下の表１、及び表２に、本発明の第１実施例に係る接眼アタッチメントＡ、及び本実施例において用いたファインダーＦの諸元の値を掲げる。
［全体諸元］において、Ｄは視度（単位は1/m、符号は像がアイポイントＥＰよりもファインダーＦ側にできたときを負とする。）、φは瞳径、Ｙは像高、ｍは焦点距離が51.6の撮影レンズを装着した時のファインダー倍率（括弧内はアタッチメントＡ単体の倍率）、EPはアイポイント、d0はファインダーＦとアタッチメントＡとの取り付け間隔をそれぞれ示す。
【００２４】
［レンズデータ］において、面番号はファインダーＦ側又は撮影レンズ（不図示）の結像面Ｉ側から数えた光学面の順序、ｒは曲率半径、ｄは光学面どうしの間隔をそれぞれ示す。また、νｄ，ｎｄはそれぞれｄ線（λ＝５８７．５６ｎｍ）に対するアッベ数，屈折率を示す。さらに、曲率半径0.0000は平面を示し、EPはアイポイントを示す。
【００２５】
ここで、本実施例で用いられているファインダーＦにおける非球面は、光軸に垂直な方向の高さをｙ、高さｙにおける非球面の頂点の接平面から非球面までの光軸に沿った距離（サグ量）をｘ、近軸曲率半径（基準球面の曲率半径）をｒ、円錐定数をκ、４，６，８，１０次の非球面係数をそれぞれC4，C6，C8，C10として、以下の非球面式で表される。
ｘ＝（ｙ２／ｒ）／｛１＋（１−κｙ２／ｒ２）１／２｝
＋C4ｙ４＋C6ｙ６＋C8ｙ８＋C10ｙ１０
なお、「E-n」は「×１０−ｎ」を示し、例えば「1.234E-05」は「1.234×10−５」を示す。また、［レンズデータ］において、非球面には面番号の左側に*印を付している。
【００２６】
ここで、以下の全ての諸元値において掲載されている焦点距離ｆ、曲率半径ｒ、その他長さの単位は「ｍｍ」が使われている。しかし光学系は、比例拡大又は比例縮小しても同等の光学性能が得られるため、これに限られるものではない。
なお、以下の全実施例の諸元値においても、本実施例と同様の符号を用いる。
【００２７】
（表１：第１実施例に係る接眼アタッチメントＡ）
［全体諸元］
Ｄ ＝ -1.268
φ ＝  4.0
ｍ ＝  0.767(1.13)
EP ＝ 13.5
d0 ＝  1.8
［レンズデータ］
面番号    ｒ       ｄ      νｄ     ｎｄ
(d0)
1)    30.0000   3.0000   52.32   1.755000
2)  -120.0000   2.0000           1.000000
3)  -100.0000   1.0000   40.77   1.883000
4)    33.5000    (EP)            1.000000
5)     0.0000   0.0000           1.000000
【００２８】
（表２：第１実施例で用いられているファインダーＦ）
［全体諸元］
Ｄ ＝ -1.015
φ ＝  4.0
ｍ ＝  0.676
EP ＝ 24.5
Ｙ ＝ 21.6
［レンズデータ］
面番号    ｒ       ｄ      νｄ     ｎｄ
0)     0.0000   3.0000           1.000000 （不図示の撮影レンズの結像面Ｉ）
1)     0.0000   4.7000   56.05   1.568829
2)   -65.0230   1.9000           1.000000
3)     0.0000  96.3810   64.10   1.516800
4)     0.0000   1.0000           1.000000
5)   952.4320   1.2000   28.34   1.728250
6)    30.3200   2.7000           1.000000
*7)    29.4956   5.2000   44.32   1.801700
8)   -44.2330   3.9000           1.000000
9)   -47.7500   1.2000   28.34   1.728250
10)  -416.5000    (EP)            1.000000
11)     0.0000   0.0000           1.000000
［非球面データ］
面番号   κ       C4           C6           C8           C10
7)  0.0000  0.00000E+00  0.00000E+00  0.00000E+00  0.00000E+00
【００２９】
図２は、本発明の第１実施例に係る接眼アタッチメントＡをファインダーＦに装着した視度Ｄ＝-1.268(1/m)のときの諸収差図を示す。
図６は、本発明の第１実施例において用いられたファインダーＦ単体の視度Ｄ＝-1.015(1/m)のときの諸収差図を示す。
【００３０】
各収差図において、φは瞳径、Ｙは像高をそれぞれ示す。なお、非点収差図及び歪曲収差図においては像高Ｙの最大値をそれぞれ示す。また、球面収差図及び非点収差図の横軸は視度を示している。さらに、Ｄ，Ｇ，Ｃ，Ｆはそれぞれ、ｄ線（λ＝５８７．６ｎｍ），ｇ線（λ＝４３５．８ｎｍ），Ｃ線（λ＝６５６．２８ｎｍ），Ｆ線（λ＝４８６．１ｎｍ）の収差曲線を示す。さらに、非点収差図において、実線はサジタル像面、破線はメリジオナル像面をそれぞれ示す。また、コマ収差図は各像高におけるコマ収差を示す。
なお、以下に示す全実施例の諸収差図において、本実施例と同様の符号を用いる。
【００３１】
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.676倍であるのに対し、ファインダーＦにさらに本実施例に係る接眼アタッチメントＡを装着した際のファインダー倍率は0.767倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００３２】
（第２実施例）
図３は、本発明の第２実施例に係る接眼アタッチメントＡをファインダーＦに装着した様子を示す断面展開図である。
図３に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
また、本実施例において用いたファインダーＦは、上記第１実施例において用いたファインダーＦと同様のものであるためその説明は省略する。
以下の表３に、本発明の第２実施例に係る接眼アタッチメントＡの諸元の値を掲げる。
【００３３】
（表３：第２実施例に係る接眼アタッチメントＡ）
［全体諸元］
Ｄ ＝ -1.055
φ ＝  4.0
ｍ ＝  0.743(1.098)
EP ＝ 15.0
d0 ＝  1.8
［レンズデータ］
面番号    ｒ       ｄ      νｄ     ｎｄ
(d0)
1)    36.0000   2.8000   54.66   1.729160
2)   -92.0000   1.6000           1.000000
3)   -88.0000   1.0000   40.77   1.883000
4)    43.5400    (EP)            1.000000
5)     0.0000   0.0000           1.000000
【００３４】
図４は、本発明の第２実施例に係る接眼アタッチメントＡをファインダーＦに装着した視度Ｄ＝-1.055(1/m)のときの諸収差図を示す。
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.676倍であるのに対し、ファインダーＦにさらに本実施例に係る接眼アタッチメントＡを装着した際のファインダー倍率は0.743倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００３５】
（第３実施例）
図７は、本発明の第３実施例に係る接眼アタッチメントＡをファインダーＦに装着した様子を示す断面展開図である。
図７に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
【００３６】
ここで、本実施例において用いたファインダーＦについて説明する。図１１は、本発明の第３実施例において用いられているファインダーＦの構成を示す断面展開図である。
本実施例において用いられたファインダーＦは、撮影レンズ（不図示）の結像面Ｉ側から順に、レチクル板Ｒと、ペンタプリズムＰと、接眼レンズＬとからなる、いわゆる一眼レフファインダーである。そして接眼レンズＬは、３枚のレンズからなり、中央のレンズを光軸方向へ移動させることによって視度の調整を行うことができる。
以下の表４、及び表５に、本発明の第３実施例に係る接眼アタッチメントＡ、及び本実施例において用いたファインダーＦの諸元の値を掲げる。
【００３７】
（表４：第３実施例に係る接眼アタッチメントＡ）
［全体諸元］
Ｄ ＝ -0.312
φ ＝  4.0
ｍ ＝  1.024(1.198)
EP ＝ 10.0
d0 ＝  5.0
［レンズデータ］
面番号    ｒ       ｄ      νｄ     ｎｄ
(d0)
1)    25.0000   3.4000   54.66   1.729160
2)  -120.0000   2.4000           1.000000
3)   -92.0000   1.0000   37.17   1.834000
4)    26.9000    (EP)            1.000000
5)     0.0000   0.0000           1.000000
【００３８】
（表５：第３実施例で用いられているファインダーＦ）
［全体諸元］
Ｄ ＝ -1.000
φ ＝  4.0
ｍ ＝  0.855
EP ＝ 24.5
Ｙ ＝ 14.1
［レンズデータ］
面番号    ｒ       ｄ      νｄ     ｎｄ
0)     0.0000   2.0000           1.000000 （不図示の撮影レンズの結像面Ｉ）
1)     0.0000   1.2000   57.57   1.491080
2)     0.0000   1.0000           1.000000
3)     0.0000  90.9857   64.10   1.516800
4)     0.0000   0.8000           1.000000
5)  -261.0969   1.5000   22.76   1.808090
6)    68.2266   3.0580           1.000000
*7)    20.7635   7.8000   56.21   1.524440
8)   -39.5164   3.4420           1.000000
9)    33.6202   7.9000   42.72   1.834810
10)    18.9993    (EP)            1.000000
11)     0.0000   0.0000           1.000000
［非球面データ］
面番号   κ       C4           C6           C8           C10
7) -1.2592  5.63230E-06 -1.79770E-08 -6.50090E-11  2.37080E-13
【００３９】
図８は、本発明の第３実施例に係る接眼アタッチメントＡをファインダーＦに装着した視度Ｄ＝-0.312(1/m)のときの諸収差図を示す。
図１２は、本発明の第３実施例において用いられたファインダーＦ単体の視度Ｄ＝-1.000(1/m)のときの諸収差図を示す。
【００４０】
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.855倍であるのに対し、ファインダーＦにさらに本実施例に係る接眼アタッチメントＡを装着した際のファインダー倍率は1.024倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００４１】
（第４実施例）
図９は、本発明の第４実施例に係る接眼アタッチメントＡをファインダーＦに装着した様子を示す断面展開図である。
図９に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
また、本実施例において用いたファインダーＦは、上記第３実施例において用いたファインダーＦと同様のものであるためその説明は省略する。
以下の表６に、本発明の第４実施例に係る接眼アタッチメントＡの諸元の値を掲げる。
【００４２】
（表６：第４実施例に係る接眼アタッチメントＡ）
［全体諸元］
Ｄ ＝ -1.602
φ ＝  4.0
ｍ ＝  1.082(1.266)
EP ＝  8.2
d0 ＝  5.0
［レンズデータ］
面番号    ｒ       ｄ      νｄ     ｎｄ
(d0)
1)    23.0000   3.2000   46.63   1.816000
2)   -96.0000   3.0000           1.000000
3)   -47.3000   1.1000   32.35   1.850260
4)    23.2100    (EP)            1.000000
5)     0.0000   0.0000           1.000000
【００４３】
図１０は、本発明の第４実施例に係る接眼アタッチメントＡをファインダーＦに装着した視度Ｄ＝-1.602(1/m)のときの諸収差図を示す。
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.855倍であるのに対し、ファインダーＦにさらに本実施例に係る接眼アタッチメントＡを装着した際のファインダー倍率は1.082倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００４４】
（第５実施例）
図１３は、本発明の第５実施例に係る接眼アタッチメントＡをファインダーＦに装着した様子を示す断面展開図である。
図１３に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
【００４５】
ここで、本実施例において用いたファインダーＦについて説明する。図１７は、本発明の第５実施例において用いられているファインダーＦの構成を示す断面展開図である。
本実施例において用いられたファインダーＦは、撮影レンズ（不図示）の結像面Ｉ側から順に、レチクル板Ｒと、いわゆる中空ペンタプリズムＰと、接眼レンズＬとからなる、いわゆる一眼レフファインダーである。そして接眼レンズＬは、３枚のレンズからなり、中央のレンズを光軸方向へ移動させることによって視度の調整を行うことができる。
以下の表７、及び表８に、本発明の第５実施例に係る接眼アタッチメントＡ、及び本実施例において用いたファインダーＦの諸元の値を掲げる。
【００４６】
（表７：第５実施例に係る接眼アタッチメントＡ）
［全体諸元］
Ｄ ＝ -0.758
φ ＝  4.0
ｍ ＝  0.908(1.209)
EP ＝  7.0
d0 ＝  3.7
［レンズデータ］
面番号    ｒ       ｄ      νｄ     ｎｄ
(d0)
1)    17.7874   2.5000   50.24   1.720000
2)   408.8861   2.0000           1.000000
3)  -307.3156   1.1000   40.77   1.883000
4)    21.2145    (EP)            1.000000
5)     0.0000   0.0000           1.000000
【００４７】
（表８：第５実施例で用いられているファインダーＦ）
［全体諸元］
Ｄ ＝ -1.594
φ ＝  4.0
ｍ ＝  0.756
EP ＝ 18.5
Ｙ ＝ 13.11
［レンズデータ］
面番号    ｒ       ｄ      νｄ     ｎｄ
0)     0.0000   1.0000           1.000000 （不図示の撮影レンズの結像面Ｉ）
1)     0.0000   1.4000   57.57   1.491080
2)     0.0000   1.4000           1.000000
3)     0.0000  71.3410           1.000000
4)     0.0000   6.3000           1.000000
5)   -88.3324   2.0000   30.34   1.582760
6)    52.1419   0.6000           1.000000
7)    20.3707   6.5000   56.21   1.524440
*8)   -24.6000  10.9000           1.000000
*9)    76.1679   2.0000   57.57   1.491080
10)    15.5582    (EP)            1.000000
11)     0.0000   0.0000           1.000000
［非球面データ］
面番号   κ       C4           C6           C8           C10
8)  2.9883  8.29520E-05 -1.19830E-07  8.19420E-10  0.00000E+00
9) 10.0000  6.21860E-05 -4.19330E-07 -5.16940E-09  4.44450E-11
【００４８】
図１４は、本発明の第５実施例に係る接眼アタッチメントＡをファインダーＦに装着した視度Ｄ＝-0.758(1/m)のときの諸収差図を示す。
図１８は、本発明の第５実施例において用いられたファインダーＦ単体の視度Ｄ＝-1.594(1/m)のときの諸収差図を示す。
【００４９】
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.756倍であるのに対し、ファインダーＦにさらに本実施例に係る接眼アタッチメントＡを装着した際のファインダー倍率は0.908倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００５０】
（第６実施例）
図１５は、本発明の第６実施例に係る接眼アタッチメントＡをファインダーＦに装着した様子を示す断面展開図である。
図１５に示すように本実施例に係る接眼アタッチメントＡは、ファインダーＦ側から順に、ファインダーＦ側に凸面を向けた正レンズＬ１と、該正レンズＬ１と間隔を隔てて配置されておりアイポイントＥＰ側に屈折力のより強い凹面を向けた両凹形状の負レンズＬ２とからなる。
また、本実施例において用いたファインダーＦは、上記第５実施例において用いたファインダーＦと同様のものであるためその説明は省略する。
以下の表９に、本発明の第６実施例に係る接眼アタッチメントＡの諸元の値を掲げる。
【００５１】
（表９：第６実施例に係る接眼アタッチメントＡ）
［全体諸元］
Ｄ ＝ -1.097
φ ＝  4.0
ｍ ＝  0.881(1.169)
EP ＝  8.2
d0 ＝  3.7
［レンズデータ］
面番号    ｒ       ｄ      νｄ     ｎｄ
(d0)
1)    16.6869   3.0000   55.52   1.696800
2)   142.4251   1.0000           1.000000
3)  -545.9932   1.2000   40.77   1.883000
4)    21.9300    (EP)            1.000000
5)     0.0000   0.0000           1.000000
【００５２】
図１６は、本発明の第６実施例に係る接眼アタッチメントＡをファインダーＦに装着した視度Ｄ＝-1.097(1/m)のときの諸収差図を示す。
各収差図より、本実施例に係る接眼アタッチメントＡを装着したファインダーＦは、良好に収差を補正していることがわかる。
また以上より、上記ファインダーＦと焦点距離51.6mmの撮影レンズとを組み合わせた際のファインダー倍率は0.756倍であるのに対し、ファインダーＦにさらに本実施例に係る接眼アタッチメントＡを装着した際のファインダー倍率は0.881倍となり、ファインダーＦの倍率を十分に向上させることができる。
なお、本実施例においては、ファインダーの一例として上述のものを示しており、本実施例に係る接眼アタッチメントＡを適用できるファインダーはこれに限られるものではない。
【００５３】
以下の表１０に、上記各実施例に係る接眼アタッチメントについて、各条件式の値を示す。
【００５４】
（表１０）
［条件式対応値］
第１実施例 第２実施例 第３実施例 第４実施例 第５実施例 第６実施例
（１）    -1.132     -1.090     -1.153     -1.266     -1.148     -1.126
（２）     0.667      0.571      0.706      0.938      0.800      0.333
（３）    -0.335     -0.495     -0.292     -0.491     -0.069     -0.040
（４）     1.883      1.883      1.834      1.850      1.883      1.883
（５）    11.550     13.890     17.490     14.280      9.470     14.750
【００５５】
以上より上記各実施例によれば、観察光学系の倍率を十分に向上し、かつ観察光学系に装着した際も実用的なアイポイントを有する小型で性能良好な接眼アタッチメントを実現することができる。
なお、本発明の実施例として２枚構成の接眼アタッチメントを示したが、該２枚を含む３枚及びそれ以上の枚数で構成した接眼アタッチメントも本発明の効果を内在した同等のものであることは言うまでもない。また、上記実施例の構成に単に付加レンズを加えただけの接眼アタッチメントも本発明の効果を内在した同等のものであることは言うまでもない。
【図面の簡単な説明】
【００５６】
【図１】本発明の第１実施例に係る接眼アタッチメントをファインダーに装着した様子を示す断面展開図である。
【図２】本発明の第１実施例に係る接眼アタッチメントをファインダーに装着した視度Ｄ＝-1.268(1/m)のときの諸収差図を示す。
【図３】本発明の第２実施例に係る接眼アタッチメントをファインダーに装着した様子を示す断面展開図である。
【図４】本発明の第２実施例に係る接眼アタッチメントをファインダーに装着した視度Ｄ＝-1.055(1/m)のときの諸収差図を示す。
【図５】本発明の第１実施例及び第２実施例において用いられているファインダーの構成を示す断面展開図である。
【図６】本発明の第１実施例及び第２実施例において用いられたファインダー単体の視度Ｄ＝-1.015(1/m)のときの諸収差図を示す。
【図７】本発明の第３実施例に係る接眼アタッチメントをファインダーに装着した様子を示す断面展開図である。
【図８】本発明の第３実施例に係る接眼アタッチメントをファインダーに装着した視度Ｄ＝-0.312(1/m)のときの諸収差図を示す。
【図９】本発明の第４実施例に係る接眼アタッチメントをファインダーに装着した様子を示す断面展開図である。
【図１０】本発明の第４実施例に係る接眼アタッチメントをファインダーに装着した視度Ｄ＝-1.602(1/m)のときの諸収差図を示す。
【図１１】本発明の第３実施例及び第４実施例において用いられているファインダーの構成を示す断面展開図である。
【図１２】本発明の第３実施例及び第４実施例において用いられたファインダー単体の視度Ｄ＝-1.000(1/m)のときの諸収差図を示す。
【図１３】本発明の第５実施例に係る接眼アタッチメントをファインダーに装着した様子を示す断面展開図である。
【図１４】本発明の第５実施例に係る接眼アタッチメントをファインダーに装着した視度Ｄ＝-0.758(1/m)のときの諸収差図を示す。
【図１５】本発明の第６実施例に係る接眼アタッチメントをファインダーに装着した様子を示す断面展開図である。
【図１６】本発明の第６実施例に係る接眼アタッチメントをファインダーに装着した視度Ｄ＝-1.097(1/m)のときの諸収差図を示す。
【図１７】本発明の第５実施例及び第６実施例において用いられているファインダーの構成を示す断面展開図である。
【図１８】本発明の第５実施例及び第６実施例において用いられたファインダー単体の視度Ｄ＝-1.594(1/m)のときの諸収差図を示す。
【符号の説明】
【００５７】
Ａ      接眼アタッチメント
Ｌ１    正レンズ
Ｌ２    両凹形状の負レンズ
Ｆ      カメラファインダー
Ｉ      不図示の撮影レンズの結像面
ＥＰ    アイポイント
【図１】
2006227120.tif 000003
【図２】
2006227120.tif 000004
【図３】
2006227120.tif 000005
【図４】
2006227120.tif 000006
【図５】
2006227120.tif 000007
【図６】
2006227120.tif 000008
【図７】
2006227120.tif 000009
【図８】
2006227120.tif 000010
【図９】
2006227120.tif 000011
【図１０】
2006227120.tif 000012
【図１１】
2006227120.tif 000013
【図１２】
2006227120.tif 000014
【図１３】
2006227120.tif 000015
【図１４】
2006227120.tif 000016
【図１５】
2006227120.tif 000017
【図１６】
2006227120.tif 000018
【図１７】
2006227120.tif 000019
【図１８】
2006227120.tif 000020